(57)【要約】【課題】表示部に表示される画像の明るさを、好みに応じて変更可能な撮像装置を提供する。【解決手段】本発明の撮像装置（１）は、動作モードに応じて、該動作モードに対応する画像を表示する表示手段（２）と、前記表示手段（２）で表示される前記画像の明るさを、前記動作モードごとに調整可能な調整部（４）と、を備えること特徴とする。【選択図】図５
2010161717.tif 000002
【特許請求の範囲】
【請求項１】
撮像装置の動作モードに応じて、該動作モードに対応する画像を表示する表示手段と、
前記表示手段に表示される前記画像の明るさを、前記動作モードごとに調整可能な調整部と、
を備えること特徴とする撮像装置。
【請求項２】
請求項１に記載の撮像装置であって、
前記調整部が、前記画像の明るさを段階的に調整可能なこと、
を特徴とする撮像装置。
【請求項３】
請求項２に記載の撮像装置であって、
前記調整部が、前記動作モードごとに、自動調光のON／OFFを設定可能なこと、
を特徴とする撮像装置。
【請求項４】
請求項３に記載の撮像装置であって、
前記自動調光がONの場合でも、前記動作モードごとに、明るさを段階的に調整可能なこと、
を特徴とする撮像装置。
【発明の詳細な説明】
【技術分野】
【０００１】
本発明は、表示部を備えた撮像装置に関する。
【背景技術】
【０００２】
デジタルカメラ等の撮像装置において、背面に液晶モニタ等の表示部を備えるものがある。この表示部には、撮像装置における再生モードやメニュー設定モードといった動作モードに応じて、その動作モードに対応した画像、例えば再生画像やメニュー画面が表示される。従来、これらの撮像装置において表示部を、周囲の明るさに適した明るさに自動調整可能とした装置がある（例えば、特許文献１参照）。
【先行技術文献】
【特許文献】
【０００３】
【特許文献１】特開２００７−６７８８９号公報
【発明の概要】
【発明が解決しようとする課題】
【０００４】
しかし、個々のユーザにおいては、動作モードに対応した画像の中で、明るく表示する必要を感じない画像もある。このような画像は、節電等の理由より、暗くすることを望む場合もある。
【０００５】
本発明の課題は、表示部に表示される画像の明るさを、好みに応じて変更可能な撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮像装置（１）の動作モードに応じて、該動作モードに対応する画像を表示する表示手段（２）と、前記表示手段（２）で表示される前記画像の明るさを、前記動作モードごとに調整可能な調整部（４）と、を備えること特徴とする撮像装置（１）である。
請求項２に記載の発明は、請求項１に記載の撮像装置（１）であって、前記調整部（４）が、前記画像の明るさを段階的に調整可能なこと、を特徴とする撮像装置（１）である。
請求項３に記載の発明は、請求項２に記載の撮像装置（１）であって、前記調整部（４）が、前記動作モードごとに、自動調光のON／OFFを設定可能なこと、を特徴とする撮像装置（１）である。
請求項４に記載の発明は、請求項３に記載の撮像装置（１）であって、前記自動調光がONの場合でも、前記動作モードごとに、明るさを段階的に調整可能なこと、を特徴とする撮像装置（１）である。
なお、符号を付して説明した構成は、適宜改良してもよく、また、少なくとも一部を他の構成物に代替してもよい。
【発明の効果】
【０００８】
本発明によれば、表示部に表示される画像の明るさを、好みに応じて変更可能な撮像装置を提供することができる。
【図面の簡単な説明】
【０００９】
【図１】本発明の一実施形態のカメラを示す背面図である。
【図２】カメラの内部構造を示すブロック図である。
【図３】明るさ調整を行うためのフローチャートである。
【図４】セットアップメニューの表示を示す正面図である。
【図５】「画面明るさ」表示を示す正面図である。
【発明を実施するための形態】
【００１０】
以下、図面等を参照して、本発明の実施形態について説明する。図１は、本発明の一実施形態のカメラを示す背面図である。図１に示すように、カメラ１は、その背面に、表示部２と、表示部２の側部(図中左側）に配置された設定釦３と、表示部２における設定釦３が配置された側と反対側（図中右側）に配置されたカーソル移動釦４と、表示部２の上側に配置されたファインダ５とを備える。
【００１１】
表示部２は、後に詳述するメニュー画面、スルー画像、再生画像、情報画像等の各種画像を表示する。表示部２としては、液晶表示装置（ＬＣＤ）、有機ＥＬ等を用いることができる。
【００１２】
設定釦３は、カメラ１が備える複数の機能から特定の機能を選択する釦である。カーソル移動釦４は、表示部２が表示しているカーソルを上下、左右方向に移動させる釦である。設定釦３及びカーソル移動釦４は、いずれもカメラ１の調整部３５（図２参照）として機能する。
【００１３】
設定釦３は、メニュー釦１１、プロテクト釦１２、縮小釦１３、拡大釦１４、確定釦１５を含む。メニュー釦１１は、表示部２にメニュー項目を表示させるための釦である。プロテクト釦１２は、画像再生時に再生画像の保護を設定するための釦である。縮小釦１３及び拡大釦１４は、画像再生時にそれぞれ画像の縮小又は拡大を行うための釦である。確定釦１５は、入力を確定する旨の信号を発信するための釦である。
【００１４】
図示するように、カーソル移動釦４は、中央の決定釦４ａと、決定釦４ａの周囲の選択釦とを備えている。選択釦は、決定釦４ａの上下に位置する上向き釦４ｂ及び下向き釦４ｃと、決定釦４ａの左右に位置する左向き釦４ｄ及び右向き釦４ｅとを備えている。これらの選択釦４ｂ、４ｃ、４ｄ、４ｅを押圧することにより、表示部２に表示されているカーソルを移動させることができる。
【００１５】
図２に示すように、カメラ１は、光軸Ａに沿って配置された撮影レンズ２１、ミラー部２２、撮像素子２３を備える。また、カメラ１は、撮影レンズ２１に入射した光のうちのミラー部２２によって上方に向けられた光が入射するファインダ光学系２４と、ミラー部２２によって下方に向けられた光が入射する測距部２５と、撮像素子２３及び測距部２５からの情報が入力される制御手段２７を備える。制御手段２７には、レリーズ釦２９、上述した操作部１０及び表示部２及びフォーカス制御部３０が接続されている。
【００１６】
撮影レンズ２１は、被写体光を撮像素子２３の撮像画面に結像させる光学系であり、この光学系の焦点位置を調節するためのフォーカスレンズを含む複数のレンズ群を備えている。
【００１７】
ミラー部２２は、メインミラー２２ａ及びサブミラー２２ｂを備えている。メインミラー２２ａは、撮影レンズ２１を通過した光をファインダ光学系２４に向けて反射する鏡である。メインミラー２２ａは、その一部がハーフミラーとなっており、光の一部を透過させる。撮影時において、レリーズ釦２９が押下されると、メインミラー２２ａは、上方に回動して光軸Ａから退避する。サブミラー２２ｂは、メインミラー２２ａのハーフミラー部分を透過した光をメインミラー２２ａとの反対方向に屈曲させて測距部２５に反射させる鏡である。
【００１８】
撮像素子２３は、メインミラー２２ａが退避したときに、光軸Ａに沿った光が届く位置に設けられ、撮影レンズ２１が結像した光を電気信号に変換する。撮像素子２３としては、例えば、ＣＣＤを用いることができる。ミラー部２２と撮像素子２３との間には、露光時間を制御するシャッタ３１が設けられている。
【００１９】
ファインダ光学系２４は、メインミラー２２ａによって上方に向けられた光が入射し、入射した光をファインダ５に導く光学系である。測距部２５は、サブミラー２２ｂによって屈曲された光を２つに分けて２つの像を生成し、生成した２つの像をそれぞれ電気信号に変換する。そして、変換した電気信号を制御手段２７に出力する。
【００２０】
制御手段２７は、カメラ１を構成する各要素を統括的に制御する情報処理部である。例えば、制御手段２７は測距部２５からの入力信号に基づいてデフォーカス量を算出する。そして、フォーカス制御部３２により公知の位相差検出方式のオートフォーカス（ＡＦ）制御を行い、デフォーカス量がゼロとなるようにＡＦモータ３３を作動させてフォーカスレンズを駆動する。
【００２１】
制御手段２７は、表示部２の表示を制御する表示制御部３４を備えている。制御手段２７には、調整部３５が接続されている。調整部３５は、操作部１０からの信号が入力され、表示部２で表示される明るさを調整する。本実施形態において、この明るさの調整は、カメラ１が備えている動作モードごとに行うことができる。
【００２２】
次に、図３によって本実施形態における動作モードごとの明るさの調整を説明する。
図３において、メニュー釦１１を押下することにより（ステップＳ１１）、表示部２はセットアップメニューを表示する（ステップＳ１２）。図４は、セットアップメニューの一例である。セットアップメニューにおいては、複数のメニュー項目が上下方向に並んで表示されている。図４においては、メニュー項目「カードの初期化（フォーマット）」にカーソル１６が位置している。カーソル１６は、カーソル移動釦４の上向き釦４ｂ及び下向き釦４ｃを押圧することにより、上方向又は下方向に移動する。従って、図４の状態で下向き釦４ｃを押圧することにより、メニュー項目「液晶モニターの明るさ」にカーソル１６を移動させることができる。その後、決定釦４ａを押圧して「液晶モニターの明るさ」に関するメニューを選択する（ステップＳ１３）。
【００２３】
図５は、メニュー項目「液晶モニターの明るさ」を選択して決定したときに、表示部２に表示される下位階層のメニュー項目「画面明るさ」である。図５に示すメニュー項目「画面明るさ」の画面では、明るさ指標帯部４２、メニュー項目「再生モード」、メニュー項目「メニューモード」、メニュー項目「情報モード」が上下に並んで表示される。
【００２４】
明るさ指標帯部４２は、濃淡を連続的に表示することにより画面の明るさの程度を可視表示するものである。明るさ指標帯部４２には、「−３」〜「＋３」までの数値によって明るさの度合いを示唆する数値表示部４３が併記されている。従って、明るさ指標帯部４２を参考にして、数値表示部４３の数値を選択することにより、表示部２の明るさを設定することができる。この場合、数値表示部４３における数値が小さいほど消費電力が少なくなり、バッテリーの節電を行うことができる。
【００２５】
メニュー項目「再生モード」、メニュー項目「メニューモード」、メニュー項目「情報モード」は、カメラ１の動作モードをそれぞれ示すものである。メニュー項目「再生モード」は、撮影した画像を再生するための動作モードである。メニュー項目「メニューモード」は、表示部２の明るさ、その他のカメラ１の各種設定を行うための動作モードである。メニュー項目「情報モード」は、カメラ１の設定状態（例えば、シャッタスピード、絞り、感度等）を確認するための動作モードである。
【００２６】
これらのメニュー項目には、それぞれ自動調光のＯＮ、ＯＦＦを表示する「自動調光」の欄、及び明るさの度合いを表示する「明るさ度合い」の欄が横並びに表示されている。カメラ１の自動調光は、表示部２の画像の明るさを自動的に調整するモードである。自動調光のＯＮ状態では、周囲の明るさに応じて、表示部２の明るさを変更する。例えば、室内では、表示部２の画像表示がある程度暗くなるように調整し、室外においては、表示部２の画像表示が明るくなるように調整される。又、自動調光のＯＮ状態においては、明るさの継続時間を調整することも可能である。例えば、表示時間を１０秒に設定した場合、２秒ごとに明るさを段階的に少なくする調整を行うことができる。
【００２７】
「明るさ度合い」欄では、選択された数値表示部４３の数値を表示する。従って、「明るさ度合い」欄が表示している数値によって表示部２の明るさを知ることができる。
【００２８】
本実施形態では、図５に示すように、メニュー項目「再生モード」にカーソル１６が位置している。再生モードにおける表示部２の明るさを調整する必要があるとき、カーソル移動釦４の決定釦４ａを押圧して「再生モード」を選択する（図３におけるステップＳ１５）。これに対し、メニュー項目「メニューモード」を選択するときは、カーソル移動釦４の下向き釦４ｃを押圧してカーソル１６を同メニュー項目に移動させ、決定釦４ａを押圧して「メニューモード」を選択する（ステップＳ１６）。また、メニュー項目「情報モード」を選択するときは、カーソル移動釦４の下向き釦４ｃを２回押圧してカーソル１６を同メニュー項目に移動させ、決定釦４ａを押圧して「情報モード」を選択する（ステップＳ１７）。
【００２９】
ステップＳ１５において、「再生モード」を選択したときは、ステップＳ１８のカーソル移動釦４の操作に移行する。カーソル移動釦４の操作においては、カーソル移動釦４の右向き釦４ｅを押圧してカーソル１６を「自動調光」欄に移動させる。その後、上向き釦４ｂ又は下向き釦４ｃを押圧して、自動調光のＯＮ、ＯＦＦを決定する。図５に示す状態では、「自動調光」欄がＯＦＦに表示されているため、再生モードでは自動調光がなされることがない。自動調光のＯＮ、ＯＦＦを決定した後、右向き釦４ｅを押圧してカーソル１６を「明るさ度合い」欄に移動させる。その後、上向き釦４ｂ又は下向き釦４ｃを押圧して、明るさ度合いの数値を選択する（図５においては、明るさ「＋２」）。この数値の選択の後、決定釦４ａを押圧することにより、選択した明るさ度合いの数値を決定する。
【００３０】
以上の操作により、再生モードでは、明るさ度合いが「＋２」となり、この明るさによって表示部２の画像の表示が行われる。又、自動調光がＯＦＦとなっているため、再生モードでは自動調光がなされない。
【００３１】
図３におけるステップＳ１６において、「メニューモード」を選択したときは、ステップＳ１９のカーソル移動釦４の操作に移行する。ステップＳ１９のカーソル移動釦４の操作においては、カーソル移動釦４の右向き釦４ｅを押圧してカーソル１６を「自動調光」欄に移動させる。その後、上向き釦４ｂ又は下向き釦４ｃを押圧して、自動調光のＯＮ、ＯＦＦを決定する。図５に示す状態では、「自動調光」欄がＯＦＦに表示されているため、メニューモードでは自動調光がなされることがない。自動調光のＯＮ、ＯＦＦを決定した後、右向き釦４ｅを押圧してカーソル１６を「明るさ度合い」欄に移動させる。その後、上向き釦４ｂ又は下向き釦４ｃを押圧して、明るさ度合いの数値を選択する（図５においては、明るさ「０」）。この数値の選択の後、決定釦４ａを押圧することにより、選択した明るさ度合いの数値を決定する。
【００３２】
以上の操作により、メニューモードでは、明るさ度合いが「０」となり、この明るさによって表示部２の画像の表示が行われる。又、自動調光がＯＦＦとなっているため、メニューモードでは自動調光がなされない。  
【００３３】
図３におけるステップＳ１７において、「情報モード」を選択したときは、ステップＳ２０のカーソル移動釦４の操作に移行する。ステップＳ２０のカーソル移動釦４の操作においては、カーソル移動釦４の右向き釦４ｅを押圧してカーソル１６を「自動調光」欄に移動させる。その後、上向き釦４ｂ又は下向き釦４ｃを押圧して、自動調光のＯＮ、ＯＦＦを決定する。図５に示す状態では、「自動調光」欄がＯＮに表示されているため、情報モードでは自動調光が行われる。自動調光のＯＮ、ＯＦＦを決定した後、右向き釦４ｅを押圧してカーソル１６を「明るさ度合い」欄に移動させる。その後、上向き釦４ｂ又は下向き釦４ｃを押圧して、明るさ度合いの数値を選択する（図５においては、明るさ「−１」）。この数値の選択の後、決定釦４ａを押圧することにより、選択した明るさ度合いの数値を決定する。
【００３４】
以上の操作により、情報モードでは、明るさ度合いが「−１」となり、この明るさによって表示部２の画像の表示が行われる。又、自動調光がＯＮとなっているため、明るさ度合い「−１」に対して自動調光が行われる。  
【００３５】
以上、本実施形態によると、以下の効果を有する。
（１）「再生モード」、「メニューモード」、「情報モード」のそれぞれの動作モードに対して表示部２の画像の明るさを調整して設定することができる。このため、画像表示を動作モードに合わせた明るさとすることができ、必要以上の明るさになることを抑制できる。
（２）それぞれの動作モードに合わせた明るさとすることができるため、消費電力を少なくすることができ、バッテリの節電が可能となる。
（３）表示部２の画像の明るさを段階的に調整できるため、きめ細かな明るさ調整が可能となる。
（４）それぞれの動作モードの明るさの調整をカーソル移動釦４への操作によって行うため、明るさの調整を簡単に行うことができる。
（５）自動調光がＯＮの場合であっても、自動調光とは独立して表示部２の明るさを調整できる。このため、カメラ１の便利性が向上する。
【００３６】
（変形形態）
以上、説明した実施形態に限定されることなく、以下に示すような種々の変形や変更が可能であり、それらも本発明の範囲内である。
（１）本実施形態では、一眼レフカメラの動作モードに対して明るさの調整を行っている。しかし、これに限らず、いわゆるコンパクトカメラでもよい。
（２）また、本実施形態では、「再生モード」、「メニューモード」、「情報モード」の動作モードに対しての明るさ調整を説明したが、これ以外の動作モードに対しても同様に明るさ調整を行うことができる。
なお、実施形態及び変形形態は、適宜組み合わせて用いることもできるが、詳細な説明は省略する。また、本発明は以上説明した実施形態によって限定されることはない。
【符号の説明】
【００３７】
１：カメラ、２：表示部、４：カーソル移動釦、２７：制御手段、３４：表示制御部、４１：セットアップメニュー、４２：明るさ指標帯部、４３：数値表示部
【図１】
2010161717.tif 000003
【図２】
2010161717.tif 000004
【図３】
2010161717.tif 000005
【図４】
2010161717.tif 000006
【図５】
2010161717.tif 000007